(57)【要約】      （修正有）【課題】食品を衛生的に取り扱うことを目的とした衛生簡単トレーカバー店頭用を提供する。【解決手段】衛生簡単トレーカバー店頭用、トレーカバー４Ａの状態からトング１１を使い食品を取り、トング１１をトング置き場所１２へ固定すれば一連の動きが完成し、衛生的な食品取り扱いを特徴とする衛生簡単トレーカバー店頭用。【選択図】図１
2010240361.tif 000002
【特許請求の範囲】
【請求項１】
（イ）衛生簡単トレーカバー店頭用本体、トレー本体（１）端に腕支柱（３）を固定ネジ（１３）で固定しトレーカバー腕（５）をトレーカバー（４Ａ）に固定すると同時に関節軸（６）をトレー本体（１）に固定する。
（ロ）衛生簡単トレーカバー店頭用本体、トレー本体（１）トレーカバー（４Ａ）とトレー本体（１）の間にダンパー（７）を設けトレーカバー（４Ａ）にダンパー軸（７Ａ）トレー本体（１）にダンパー軸（７Ｃ）を各々固定する。
（ハ）腕支柱（３）の上端にバネ固定（１０）を固定し、バネ（８）をバネ差し込み穴（９）に差し込むと同時に関節軸（６）をトレー本体（１）に固定する。
（ニ）トング（１１）を取るとトレーカバー（４Ａ）が軽くなりバネ（８）が関節軸（６）を中心にバネが元の形に戻りトレーカバー（４Ｂ）までゆっくり上がり、同時にダンパー軸（７Ａ）がダンパー軸（７Ｂ）に移動しトレーカバーが開く。
（ホ）スノコ（２）の上の食品を取り、用がすんだらトングをトング置き場所（１２）へ置くとトレーカバー（４Ｂ）にトングの重量が加わり、バネ（８）が変形し関節軸（６）を中心にトレーカバー（４Ａ）までゆっくり下がり、同時にダンパー軸（７Ｂ）が（７Ａ）に移動しトレーカバーが閉まる。
以上を特徴とする衛生簡単トレーカバー店頭用である。
【発明の詳細な説明】
【技術分野】
【０００１】  本発明は、トレーカバー上のトングの、取り、置きにより自然にトレーカバーが開閉するようにしたものである。
【背景技術】
【０００２】  従来のトレー本体にはトレーカバーがないか、カバーを乗せてあるだけである。
【発明が解決しようとする課題】
【０００３】そのため次のような問題点があった。
（イ）店頭使用のためトレー本体のときは、誇りが多く揚げ物食品のため不衛生である。
（ロ）トレーカバーを掛けるとその都度、手で開閉しなければならず面倒であり店頭用食品入れと、して実用的でない。
本発明は以上の問題点を解決しようとするものである。
【課題を解決するための手段】
【０００４】（イ）衛生簡単トレーカバー店頭用本体、トレー本体（１）端に腕支柱（３）を固定ネジ（１３）で固定しトレーカバー腕（５）をトレーカバー（４Ａ）に固定すると同時に関節軸（６）をトレー本体（１）に固定する。
（ロ）衛生簡単トレーカバー店頭用本体、トレー本体（１）トレーカバー（４Ａ）とトレー本体（１）の間にダンパー（７）を設けトレーカバー（４Ａ）にダンパー軸（７Ａ）トレー本体（１）にダンパー軸（７Ｃ）を各々固定する。
（ハ）腕支柱（３）の上端にバネ固定（１０）を固定し、バネ（８）をバネ差し込み穴（９）に差し込むと同時に関節軸（６）をトレー本体（１）に固定する。
（ニ）トング（１１）を取るとトレーカバー（４Ａ）が軽くなりバネ（８）が関節軸（６）を中心にバネが元の形に戻りトレーカバー（４Ｂ）までゆっくり上がり、同時にダンパー軸（７Ａ）がダンパー軸（７Ｂ）に移動しトレーカバーが開く。
（ホ）スノコ（２）の上の食品を取り、用がすんだらトングをトング置き場所（１２）へ置くとトレーカバー（４Ｂ）にトングの重量が加わり、バネ（８）が変形し関節軸（６）を中心にトレーカバー（４Ａ）までゆっくり下がり、同時にダンパー軸（７Ｂ）が（７Ａ）に移動しトレーカバーが閉まる。
以上を特徴とする衛生簡単トレーカバー店頭用である。
【発明の効果】
【０００５】  本発明の商品はトレーにカバーが付いているため衛生的であり、そして食品を購入のお客様は必ずトングを使うため自動的にトレーカバーが開閉でき食品を取り出しやすく便利である。
【発明を実施するための最良の形態】
【０００６】以下、本発明の形態を説明する。
（イ）衛生簡単トレーカバー店頭用本体、トレー本体（１）端に腕支柱（３）を固定ネジ（１３）で固定しトレーカバー腕（５）をトレーカバー（４Ａ）に固定すると同時に関節軸（６）をトレー本体（１）に固定する。
（ロ）衛生簡単トレーカバー店頭用本体、トレー本体（１）トレーカバー（４Ａ）とトレー本体（１）の間にダンパー（７）を設けトレーカバー（４Ａ）にダンパー軸（７Ａ）トレー本体（１）にダンパー軸（７Ｃ）を各々固定する。
（ハ）腕支柱（３）の上端にバネ固定（１０）を固定し、バネ（８）をバネ差し込み穴（９）に差し込むと同時に関節軸（６）をトレー本体（１）に固定する。
（ニ）トング（１１）を取るとトレーカバー（４Ａ）が軽くなりバネ（８）が関節軸（６）を中心にバネが元の形に戻りトレーカバー（４Ｂ）までゆっくり上がり、同時にダンパー軸（７Ａ）がダンパー軸（７Ｂ）に移動しトレーカバーが開く。
（ホ）スノコ（２）の上の食品を取り、用がすんだらトングをトング置き場所（１２）へ置くとトレーカバー（４Ｂ）にトングの重量が加わり、バネ（８）が変形し関節軸（６）を中心にトレーカバー（４Ａ）までゆっくり下がり、同時にダンパー軸（７Ｂ）が（７Ａ）に移動しトレーカバーが閉まる。
以上のように構成された衛生簡単トレーカバー店頭用に関するものである。
本発明を使用するときは、トレーカバー（４Ａ）の状態からトング（１１）を取り、思う食品を取り終わったらトング（１１）をトング置き場所（１２）へ置き個定する。
【図面の簡単な説明】
【０００７】
【図１】本発明の側面図
【図２】本発明の間接軸拡大図面
【符号の説明】
【０００８】      １        トレー本体
２        スノコ
３        腕支柱
４Ａ      トレーカバー
４Ｂ      トレーカバー
５        トレーカバー腕
６        関節軸
７        ダンパー
７Ａ      ダンパー軸
７Ｂ      ダンパー軸
７Ｃ      ダンパー軸
８        バネ
９        バネ差し込み穴
１０      バネ固定
１１      トング
１２      トング置き場所
１３      固定ネジ
【図１】
2010240361.tif 000003
【図２】
2010240361.tif 000004
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
（イ）衛生簡単トレーカバー店頭用本体、トレー本体（１）に関節軸（６）をトレー本体（１）に関節をかえしてトレーカバー（４）を固定する。
（ロ）衛生簡単トレーカバー店頭用本体、トレー本体（１）レーカバー（４Ａ）とトレー本体（１）の間にダンパー（７）を設けトレーカバー（４Ａ）にダンパー軸（７Ａ）、トレー本体（１）にダンパー軸（７Ｃ）を各々固定する。
（ハ）トング（１１）を取るとトレーカバー（４Ａ）が軽くなりバネ（８）が関節軸（６）を中心にバネが元の形に戻りトレーカバー（４Ｂ）までゆっくり上がり、同時にダンパー軸（７Ａ）がダンパー軸（７Ｂ）に移動しトレーカバーが開く。
（ニ）スノコ（２）の上の食品を取り、用が済んだらトングをトング置場（１２）へ置くとトレーカバー（４Ｂ）にトングの重量が加わり、バネ（８）が変形し関節軸（６）を中心にトレーカバー（４Ａ）までゆっくり下がり、同時にダンパー軸（７Ｂ）が（７Ａ）に移動しトレーカバーが閉まる。
以上を特徴とする衛生簡単トレーカバー店頭用である。
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
トレー本体（１）と、前記トレー本体（１）に載置されたスノコ（２）と、前記トレー本体（１）に関節軸（６）を介して枢着されたトレーカバー（４）からなるトレーカバー付き食品用トレーであって、
前記トレー本体（１）と前記トレーカバー（４）は、ダンパー軸（７Ａ、７Ｂ、７Ｃ）を介して枢着されたダンパー（７）と、前記トレーカバー（４）を上方へ付勢するためのバネ（８）を備え、さらに、前記トレーカバー（４）は、前記トレー本体に収容された食品を取るためのトング（１１）を置くためのトング置き場（１２）を備え、前記トング置き場から前記トングを取ると、前記バネ（８）の付勢力により前記トレーカバー（４）は前記関節軸（６）を中心に水平位置から傾動し、前記トング（１１）を前記トング置き場（１２）に戻すと前記トング（１１）の重量により前記トレーカバー（４）が前記関節軸（６）を中心に水平位置に戻ることを特徴とするトレーカバー付き食品用トレー。